(57)【特許請求の範囲】
【請求項１】
下着や靴下等の商品を保持する口紙の上面紙に形成された左右方向に長い長孔を利用して取り付けられ、フック部を用いて前記商品を吊り下げた状態で陳列する商品陳列用吊下げ具であって、
前記フック部の下側で略左右方向に伸びる基部を、前記フック部の下側の中央部、この中央部と左右の可撓体を介して弾性的に連結されて略左右方向に延びる左右の肩部、これら肩部上面の左右方向内側端部に突設された、前記口紙に取り付けた状態で前記上面紙の長孔側左右端縁部が係合する係合凹部が左右方向外側に形成されるように上方及び左右方向外側に延びる、鉤状掛止片により構成してなり、
前記可撓体の自由状態では前記肩部上面が左右方向外側に行くにしたがって高くなり、前記自由状態から前記左右の肩部を下方へ揺動させてその上面を略水平にするように前記可撓体を弾性変形させた状態ではこれ以上の前記肩部の下方への揺動が規制されることを特徴とする商品陳列用吊下げ具。
【請求項２】
前記可撓体が、その下側に切欠きを形成して前記中央部及び肩部の上部同士を繋ぐように合成樹脂により一体成形されたものである請求項１記載の商品陳列用吊り下げ具。
【請求項３】
前記中央部の前後の表面の少なくともどちらかに、前記口紙に取り付けた状態で前記口紙に対する下方への相対移動を規制する抜止め体を突設してなる請求項１記載の商品陳列用吊り下げ具。
【請求項４】
前記抜止め体が、前記口紙の上面紙の長孔側前後端縁部の少なくともどちらかを当止する略水平の下面及び上方へ行くにしたがって前記表面側へ傾斜するとともに左右方向外側へ行くにしたがって前記表面側へ傾斜する傾斜面により構成されてなる請求項３記載の商品陳列用吊り下げ具。
【発明の詳細な説明】
【技術分野】
【０００１】
本発明は、下着や靴下等の商品を吊り下げて陳列するための商品陳列用吊下げ具の改良に関するものである。
【背景技術】
【０００２】
下着や靴下等の商品を保持する口紙（包装体）の上面紙に形成された長孔を利用して取り付けられ、そのフック部を展示用の支持棒等に引っ掛けて商品を吊り下げた状態で陳列する商品陳列用吊下げ具として、挿入用係止孔を形成するように対向し上面紙（頂辺）を上下から挟む状態で掛止するための上下の掛止片を左右に備え、口紙（トップカード）に取り付けた状態で口紙との相対的な左右方向の移動を規制して抜止めを行う抜止規制段部を形成してなるものがある（例えば、特許文献１参照。）。
【０００３】
また、基部にその左右の案内面が先細り状に下方へ伸びる台紙取付部を形成し、この台紙取付部にフック部の内側に対向する位置に弾性的に拡開する凹欠部を設けることにより、口紙（台紙）の長孔（挿入孔）への挿入をスムーズに行ってワンタッチで取付けを行うことができるとともに、この状態で抜止めがなされるもの（例えば、特許文献２参照。）、フック部の下方に、左右方向に所定間隔を隔てて垂下された短尺の２本の垂下可撓部と、この垂下可撓部に内端側が連設されていてそれぞれ左右方向外方に向かって伸びているカード支承杆と、このカード支承杆に両端部が連設されて中央部分が上方に向かって折り畳み可能に形成されている突張杆とからなり、口紙（トップカード）の長孔にカード支承杆及び突張杆を上方から挿入した後にこれらを略水平姿勢に保持するようにして抜止めをするもの（例えば、特許文献３参照。）等もある。
【先行技術文献】
【特許文献】
【０００４】
【特許文献１】特公昭５５−１０４８号公報
【特許文献２】実開昭６１−２１６０号公報
【特許文献３】実公平１−３０１３０号公報
【発明の概要】
【発明が解決しようとする課題】
【０００５】
以上のような従来の商品陳列用吊下げ具において、特許文献１の構成のものは、抜止規制段部があることから口紙の長孔からの抜出しを防止する一定の効果を奏するものである。
しかしながら、商品に興味を持った購入者等が商品を手にとって見る際に、商品を介して商品陳列用吊下げ具の口紙への装着部に対して様々な方向への力が掛かる場合があるとともに口紙は変形しやすい紙製であることから、抜止め効果が十分であるとは言えない。
その上、商品陳列用吊下げ具を口紙に取り付ける際に、抜止規制段部を形成するために鉤形に屈折している挿入用掛止孔に口紙の上面紙を挿入した後に逆方向へ引き戻す必要があるため、このような取付けの作業性が悪いとともに、取付け作業時の左右方向への摺動操作により口紙が変形したり損傷する場合がある。
その上さらに、商品陳列用吊下げ具を口紙へ取り付けた後の購入者等の操作により抜止規制段部と口紙の長孔を形成する端縁とが衝突をし、このような衝突の繰返しにより抜止めのために必要な長孔の長手方向の長さが広がって抜止め効果が低減する等、信頼性が低下する場合がある。
【０００６】
また、特許文献２の構成のものでは、口紙の上面紙の長孔から下方に伸びる台紙取付部の取付スペースを確保する必要があることから、口紙に取り付けられる商品の相対位置が下がってしまい、見栄えが悪くなるとともに、口紙の大きさが大きくなるためコスト面で不利となる。
さらに、特許文献３の構成のものでは、口紙の長孔にカード支承杆及び突張杆を上方から挿入する際に、これらの上下方向の長さが長いこと、及び、挿入完了後のカード支承杆及び突張杆に対してこれらを略水平姿勢にするために操作力を加える必要があることから、商品が取り付けられた状態の口紙には取り付けることができない。
【０００７】
そこで本発明が前述の状況に鑑み、解決しようとするところは、口紙の長孔からの抜止め効果が高く、その信頼性を長期間にわたって確保することができ、見栄えの低下やコストの増大がなく、商品が取り付けられた状態の口紙に対しても取り付けることができる商品陳列用吊下げ具を提供する点にある。
【課題を解決するための手段】
【０００８】
本発明に係る商品陳列用吊下げ具は、前記課題解決のために、下着や靴下等の商品を保持する口紙の上面紙に形成された左右方向に長い長孔を利用して取り付けられ、フック部を用いて前記商品を吊り下げた状態で陳列する商品陳列用吊下げ具であって、前記フック部の下側で略左右方向に伸びる基部を、前記フック部の下側の中央部、この中央部と左右の可撓体を介して弾性的に連結されて略左右方向に延びる左右の肩部、これら肩部上面の左右方向内側端部に突設された、前記口紙に取り付けた状態で前記上面紙の長孔側左右端縁部が係合する係合凹部が左右方向外側に形成されるように上方及び左右方向外側に延びる、鉤状掛止片により構成してなり、前記可撓体の自由状態では前記肩部上面が左右方向外側に行くにしたがって高くなり、前記自由状態から前記左右の肩部を下方へ揺動させてその上面を略水平にするように前記可撓体を弾性変形させた状態ではこれ以上の前記肩部の下方への揺動が規制されることを特徴とする。
このような構成によれば、口紙の上面紙の下側に商品陳列用吊下げ具の中央部並びに左右の肩部及び鉤状掛止片を位置させ、上面紙の長孔からフック部を上側に出した状態としてフック部を上方へ引き上げることにより、左右の肩部が下方へ揺動して肩部上面が略水平となってこれ以上の揺動が規制されるため、略水平の左右の肩部の上面が上面紙の下面に添うとともに、上面紙の長孔側左右端縁部が鉤状掛止片の係合凹部に係合した状態となり、このように上面紙の長孔側左右端縁部が左右の肩部及び鉤状掛止片により押さえ込まれた状態で安定かつ確実に保持されるため、ガタツキを防止することができるとともに外れにくく、口紙の長孔からの抜止め効果が高くなる。
【０００９】
その上、商品陳列用吊下げ具を口紙へ取り付ける際及び取り付けた後の使用状態において、商品陳列用吊下げ具と口紙とが摺動することが少ないことから、口紙の損傷を抑制することができるため、長期間にわたって高い信頼性を確保することができる。
その上さらに、フック部の下側の基部の形態は略左右方向に伸びるものであり、口紙の上面紙の長孔から下方に伸びる長さが短い（上面紙の下側に位置する部分の上下方向の長さが短い）ことから、口紙に取り付けられる商品の相対位置を下げる必要がないため、見栄えが悪くなることがないとともにコストが増大することがない。
その上、口紙の上面紙の上側からフック部を持って長孔に斜め上側から一方の肩部を差し込むようにして上面紙の下側に中央部並びに左右の肩部及び鉤状掛止片を位置させることができるため、商品が取り付けられた状態の口紙に対しても取り付けることができる。
【００１０】
ここで、前記可撓体が、その下側に切欠きを形成して前記中央部及び肩部の上部同士を繋ぐように合成樹脂により一体成形されたものであると好ましい。
このような構成によれば、合成樹脂製の商品陳列用吊下げ具を射出成形等により一体成形して量産することができるため、コスト低減化を図ることができる。
【００１１】
また、前記中央部の前後の表面の少なくともどちらかに、前記口紙に取り付けた状態で前記口紙に対する下方への相対移動を規制する抜止め体を突設してなると好ましい。
このような構成によれば、商品陳列用吊下げ具を口紙へ取り付けた状態で、抜止め体により商品陳列用吊下げ具の口紙に対する下方への相対移動が規制されるため、口紙の長孔からの抜止め効果をさらに高くすることができる。
【００１２】
さらに、前記抜止め体が、前記口紙の上面紙の長孔側前後端縁部の少なくともどちらかを当止する略水平の下面及び上方へ行くにしたがって前記表面側へ傾斜するとともに左右方向外側へ行くにしたがって前記表面側へ傾斜する傾斜面により構成されてなると好ましい。
このような構成によれば、口紙の上面紙の下側に商品陳列用吊下げ具の中央部並びに左右の肩部及び鉤状掛止片を位置させ、上面紙の長孔からフック部を上側に出した状態としてフック部を上方へ引き上げる際には、抜止め体の上方へ行くにしたがって表面側へ傾斜する傾斜面に上面紙の長孔側前後端縁部が沿うため引っ掛かることがなく、この引上げ操作を容易に行うことができる。
その上、口紙に商品を取り付けた状態で商品陳列用吊下げ具の取付けを行う場合等において、口紙の上面紙の上側からフック部を持って長孔に斜め上側から一方の肩部を差し込む際には、抜止め体の左右方向外側へ行くにしたがって表面側へ傾斜する傾斜面に上面紙の長孔側前後端縁部が沿うため引っ掛かることがなく、この差込み操作を容易に行うことができる。
【発明の効果】
【００１３】
以上のように、本発明に係る商品陳列用吊下げ具によれば、口紙の長孔からの抜止め効果が高く、取付け作業性が良く、口紙への取付けの際及び取付け後の使用状態における口紙の損傷を抑制して長期間にわたって高い信頼性を確保することができ、口紙に取り付けられる商品の相対位置を下げる必要がないため、見栄えが悪くなることがないとともにコストが増大することがなく、商品が取り付けられた状態の口紙に対しても取り付けることができるという顕著な効果を奏する。
【図面の簡単な説明】
【００１４】
【図１】（ａ）は本発明の実施の形態に係る商品陳列用吊下げ具を口紙に取り付けた状態を示す斜視図、（ｂ）は口紙の斜視図である。
【図２】本発明の実施の形態に係る商品陳列用吊下げ具を口紙に取り付けた状態し、（ａ）は平面図、（ｂ）は縦断右側面図である。
【図３】本発明の実施の形態に係る商品陳列用吊下げ具の斜視図であり、（ａ）は自由状態の形態を、（ｂ）は口紙に取り付けた状態の形態を示している。
【図４】口紙への商品陳列用吊下げ具の取付けを説明するための縦断正面図であり、（ａ）は口紙の上面紙の下側に商品陳列用吊下げ具の中央部並びに左右の肩部及び鉤状掛止片を位置させ、上面紙の長孔からフック部を上側に出した状態を、（ｂ）はフック部を上方へ少し引き上げた取付けの中間状態を、（ｃ）は取付けが完了した状態を示している。
【図５】口紙の下側から商品陳列用吊下げ具を取り付ける例を示す縦断正面図である。
【図６】口紙の上側から商品陳列用吊下げ具を取り付ける例を示す縦断正面図である。
【発明を実施するための形態】
【００１５】
次に本発明の実施の形態を添付図面に基づき詳細に説明するが、本発明は、添付図面に示された形態に限定されず特許請求の範囲に記載の要件を満たす実施形態の全てを含むものである。
なお、本明細書においては、商品陳列用吊下げ具のフック部を展示用の支持棒等に引っ掛けた状態で上下方向を言うものとし、前記フック部の屈曲面に垂直な方向（略前記支持棒の長手方向に相当する方向）を前後方向とし（前方を図中矢印Ｆとする。）、前方に向かって左右を言うものとする。
【００１６】
図１及び図２に示すように、商品陳列用吊下げ具１は、下着や靴下等の商品Ｐを保持する口紙（包装体）１０の上面紙１１に形成された左右方向に長い例えば矩形状の長孔１２を利用して取り付けられ、そのフック部２を図示しない展示用の支持棒等に引っ掛けて商品Ｐを吊り下げた状態で陳列するものである。
【００１７】
また、図３に示すように、商品陳列用吊下げ具１は、フック部２の下側で略左右方向に伸びる基部３を、フック部２の下側の中央部４、中央部４と左右の可撓体６，６を介して弾性的に連結されて略左右方向に延びる左右の肩部５，５、これら肩部５，５の上面５Ｂ，５Ｂの左右方向内側端部に突設された、図１（ａ）及び図４（ｃ）のように商品陳列用吊下げ具１を口紙１０に取り付けた状態で上面紙１１の長孔側左右端縁部１３，１３（図１（ｂ）も参照。）が係合する係合凹部８Ａ，８Ａが左右方向外側に形成されるように上方及び左右方向外側に延びる、鉤状掛止片８，８により構成している。
【００１８】
ここで、図３に示すように、可撓体６，６は、基部３の下面から上側に延びる左右の切欠き７，７を形成して中央部４及び肩部５，５の上部同士を繋ぐように一体成形されたものであり、図３（ａ）に示す可撓体６，６が弾性変形していない自由状態では、中央部４左右の当止面４Ａ，４Ａと当止面４Ａ，４Ａに対向する肩部５，５左右の当止面５Ａ，５Ａとが離間しており、肩部上面５Ｂ，５Ｂが左右方向外側に行くにしたがって高くなっている。
また、図３（ｂ）及び図４（ｃ）に示す商品陳列用吊下げ具１を口紙１０に取り付けた状態では、中央部４左右の当止面４Ａ，４Ａと肩部５，５左右の当止面５Ａ，５Ａとが当止される。すなわち、前記自由状態から左右の肩部５，５を下方へ揺動させてその上面５Ｂ，５Ｂを略水平にするように可撓体６，６を弾性変形させた状態では、これ以上の肩部５，５の下方への揺動が規制されるため、肩部５，５の上面５Ｂ，５Ｂが略水平となった状態よりも中央部４に対して肩部５，５が下側へ揺動することはない。
【００１９】
可撓体６，６は、例えば金属薄板等により中央部４と肩部５，５と別体のものとすることも可能であるが、図３に示すように、可撓体６，６を含む商品陳列用吊下げ具１全体を、例えばポリプロピレン、ポリアセタール、ナイロン又はＡＢＳ等の合成樹脂の射出成形等により一体成形することによりコスト低減化を図ることができる。
なお、商品陳列用吊下げ具１の材質は、合成樹脂に限定されるものではなく、合成紙等であってもよい。
【００２０】
図１（ａ）、図２及び図３に示すように、商品陳列用吊下げ具１の中央部４の前後の表面には、図１（ａ）及び図２に示す口紙１０に取り付けられた状態で、口紙１０（上面紙１１）に対する下方への相対移動を規制する抜止め体９，９が突設されており、これらの抜止め体９，９の略水平の下面９Ａ，９Ａが当止面であり、上面紙１１の長孔側前後端縁部１４，１４（図１（ｂ）も参照。）に当止される。
また、図２及び図３に示すように、抜止め体９には、上方へ行くにしたがって中央部４の表面側へ傾斜する（図２（ｂ）参照。）とともに左右方向外側へ行くにしたがって中央部４の表面側へ傾斜する（図２（ａ）参照。）傾斜面９Ｂが形成されている。
なお、抜止め体９は、商品陳列用吊下げ具１の中央部４の前後の表面の両方ではなく、一方のみに突設してもよい。
【００２１】
次に、商品陳列用吊下げ具１の口紙１０への取付けについて説明する。
図４（ａ）に示すように、口紙１０の上面紙１１の下側に商品陳列用吊下げ具１の中央部４並びに左右の肩部５，５及び鉤状掛止片８，８を位置させ、上面紙１１の長孔１２からフック部２を上側に出した状態とする。
この状態から、口紙１０に対して、図４（ａ）中の矢印のようにフック部２を持って商品陳列用吊下げ具１を上方へ引き上げると、図４（ｂ）に示す肩部５，５の先端５Ｃ，５Ｃが上面紙１１に当接した状態になるとともに、鉤状掛止片８，８の上端左右の例えば円弧状に面取りされた面取り部８Ｂ，８Ｂが長孔１２の左右に臨んだ状態になる。
そして、さらに商品陳列用吊下げ具１を上方へ引き上げると、可撓体６，６まわりに肩部５，５を下方へ揺動させる方向のモーメント（図４（ｂ）の矢印Ａ，Ａ参照。）が作用し、左右の鉤状掛止片８，８は左右方向外側へ揺動し、図４（ｃ）に示すように鉤状掛止片８，８の係合凹部８Ａ，８Ａに上面紙１１の長孔側左右端縁部１３，１３が係合して取付けが完了する。
【００２２】
ここで、図４（ｂ）の状態から図４（ｃ）の状態まで商品陳列用吊下げ具１を上方へ引き上げる際には、長孔１２の下側から上側へ前後の抜止め体９，９を通過させる必要があるが、抜止め体９，９には上述のとおり上方へ行くにしたがって中央部４の表面側へ傾斜する傾斜面９Ｂ，９Ｂが形成されていることから、傾斜面９Ｂ，９Ｂに上面紙１１の長孔側前後端縁部１４，１４（図１（ｂ）及び図２（ｂ）参照。）が沿うため、商品陳列用吊下げ具１を上方へ引き上げる際に抜止め体９，９が引っ掛かることがない。
また、図４（ｃ）のように取付けが完了した状態で、長孔１２の長手方向長さ（左右方向長さ）Ｌ１に対して取付け状態における係合凹部８Ａ，８Ａの間の間隔Ｌ２を、Ｌ１＞Ｌ２となるように設定しており、このクリアランス（Ｌ１−Ｌ２）を０．５ｍｍ程度としている。
さらに、上述のとおり鉤状掛止片８，８の上端左右には円弧状の面取り部８Ｂ，８Ｂが形成されている。
したがって、商品陳列用吊下げ具１の口紙１０への取付けを円滑に行うことができるとともに、取付けの際に上面紙１１の長孔側左右端縁部１３，１３が損傷することがなく、さらに取付け完了状態におけるガタツキもない。
【００２３】
以上のような商品陳列用吊下げ具１の構成によれば、口紙１０の上面紙１１の下側に商品陳列用吊下げ具１の中央部４並びに左右の肩部５，５及び鉤状掛止片８，８を位置させ、上面紙１１の長孔１２からフック部２を上側に出した状態としてフック部２を上方へ引き上げることにより、上面紙１１の下面に左右の肩部５，５の上面５Ｂ，５Ｂが添うとともに、上面紙１１の長孔側左右端縁部１３，１３が鉤状掛止片８，８の係合凹部８Ａ，８Ａに係合した状態となり、このように上面紙１１の長孔側左右端縁部１３，１３が肩部５，５及び鉤状掛止片８，８により押さえ込まれた状態で安定かつ確実に保持されるため、ガタツキを防止することができるとともに外れにくく、長孔１２からの抜止め効果が高くなる。
【００２４】
また、商品陳列用吊下げ具１を口紙１０へ取り付ける際及び取り付けた後の使用状態において、商品陳列用吊下げ具１と口紙１０とが摺動することが少ないため、口紙１０の損傷を抑制して長期間にわたって高い信頼性を確保することができる。
さらに、フック部２の下側の基部３の形態は略左右方向に伸びるものであり、口紙１０の上面紙１１の長孔１２から下方に伸びる長さが短い（上面紙１１の下側に位置する部分の上下方向の長さが短い）ことから、口紙１０に取り付けられる商品Ｐの相対位置を下げる必要がないため、見栄えが悪くなることがないとともにコストが増大することがない。
さらにまた、商品陳列用吊下げ具１を口紙１０へ取り付けた状態で、抜止め体９，９により商品陳列用吊下げ具１の口紙１０に対する下方への相対移動が規制されるため、長孔１２からの抜止め効果をさらに高くすることができる。
【００２５】
ここで、商品陳列用吊下げ具１の口紙１０への取付けは、上述した図４（ａ）〜（ｃ）の操作により行うことができるが、図５に示すように、例えば商品陳列用吊下げ具１の中央部４を持って上方へ押し上げて、口紙１０の下側から商品陳列用吊下げ具１を取り付けてもよい（図中矢印Ｂ参照。）。
また、図１（ｂ）のように口紙１０が組み立てられ商品Ｐが取り付けられた状態であっても、図６に示すように、口紙１０の上面紙１１の上側からフック部２を持って長孔１２に斜め上側から一方の肩部５を差し込み（図中矢印Ｃ参照。）、上面紙１１の下側に中央部４並びに左右の肩部５，５及び鉤状掛止片８，８を位置させた図４（ｂ）の状態とすることができるため、商品Ｐが取り付けられた状態の口紙１０に対しても商品陳列用吊下げ具１を容易に取り付けることができる。
そして、図６のように口紙１０の上面紙１１の上側からフック部２を持って長孔１２に斜め上側から差し込む際には、抜止め体９の左右方向外側へ行くにしたがって表面側へ傾斜する傾斜面９Ｂ（図２（ａ）参照。）に上面紙１１の長孔側前後端縁部１４，１４（図１（ｂ）及び図２（ｂ）参照。）が沿うため引っ掛かることがなく、この差込み操作を容易に行うことができる。
【符号の説明】
【００２６】
Ａ  モーメント
Ｂ，Ｃ  方向
Ｆ  前方
Ｌ１  長孔の長手方向長さ
Ｌ２  取付け状態における係合凹部間の間隔
Ｐ  商品
１  商品陳列用吊下げ具
２  フック部
３  基部
４  中央部
４Ａ  当止面
５  肩部
５Ａ  当止面
５Ｂ  上面
５Ｃ  先端
６  可撓体
７  切欠き
８  鉤状掛止片
８Ａ  係合凹部
８Ｂ  面取り部
９  抜止め体
９Ａ  下面（当止面）
９Ｂ  傾斜面
１０  口紙
１１  上面紙
１２  長孔
１３  長孔側左右端縁部
１４  長孔側前後端縁部
【図１】
0005531564.tif 000002
【図２】
0005531564.tif 000003
【図３】
0005531564.tif 000004
【図４】
0005531564.tif 000005
【図５】
0005531564.tif 000006
【図６】
0005531564.tif 000007